(57)【要約】【課題】長い耐用寿命を有する傘を提供する。【解決手段】中棒１と、骨アセンブリ２と、ロクロ３と、スプリング式の留め具５とを有する傘である。中棒１は、中棒１のトップ部に形成される上部ノッチ１２を有する。骨アセンブリ２は、少なくとも、上部ノッチ１２にピボット式に固定される親骨２１と、親骨２１にピボット式に連結される受骨とを有する。ロクロ３は、受骨２２にピボット式に連結されて、中棒１にスライド自在に保持される。留め具５は、中棒１の上部ノッチ１２に隣接する、中棒１のトップ部に固定され、上部ノッチ１２から下方へ突出しており、傘を広げる際に、ロクロ３と操作的に係合される。また、留め具５は、中棒１の外側に並置される。【選択図】　　　　　　図１
2004049865.tif 000002
【特許請求の範囲】
【請求項１】
中棒と、骨アセンブリと、ロクロと、スプリング式の留め具とを有する傘であって、
前記中棒は、前記中棒のトップ部に形成される上部ノッチを有し、
前記骨アセンブリは、少なくとも、前記上部ノッチにピボット式に固定される親骨と、前記親骨にピボット式に連結される受骨とを有し、
前記ロクロは、前記受骨にピボット式に連結されて、前記中棒にスライド自在に保持され、
前記留め具は、前記中棒の前記上部ノッチに隣接する、前記中棒のトップ部に固定され、前記上部ノッチから下方へ突出しており、傘を広げる際に、前記ロクロと操作的に係合され、また、
前記留め具は、前記中棒の外側に並置されており、前記中棒の機械的強度が低下することが、防止される
ことを特徴とする傘。
【請求項２】
前記ロクロは、シリンダ部、フェルール、押ボタンスロット、肩部、一対の突起スロット、および、ガイドスロットを有しており、
前記シリンダ部は、前記中棒にスライド自在に連結する中央穴を有し、
前記フェルールは、前記シリンダ部に一体的に形成されており、前記受骨をピボット式に固定し、
前記押ボタンスロットは、前記ロクロの横方向に形成され、押ボタンとスライド式に係合自在であり、
前記肩部は、前記押ボタンスロットの内側部に形成されており、傘が開かれる際に、前記留め具と係合し、
前記突起スロットは、前記ロクロの両側部の横方向に形成され、前記押ボタンの両側に形成される一対の突起とスライド式に係合自在であり、
前記ガイドスロットは、前記シリンダ部の長手方向に形成され、下方に向いて先細となっており、前記留め具を下方かつ内向きにガイドし、前記ロクロの前記肩部に係合させ、ロックさせる
ことを特徴とする請求項１に記載の傘。
【請求項３】
前記ロクロは、前記フェルールに形成され、下方かつ内向きに傾斜しているグルーブを有しており、
前記グルーブは、前記ガイドスロットおよび前記ロクロの前記中央穴に連絡しており、前記留め具が下方へ移動し、前記ロクロの前記肩部を係合することを容易にすることを特徴とする請求項２に記載の傘。
【請求項４】
前記中棒は、少なくとも、上層管と、前記上層管に対して入れ子式に連結自在の下層管と、前記上層管のトップ部に形成される上部ノッチとを有し、
前記ロクロは、前記中棒にスライド自在に保持され、傘を広げる場合、前記留め具に係合され、前記ロクロおよび前記骨アセンブリをロックする
ことを特徴とする請求項２に記載の傘。
【請求項５】
前記留め具は、ベース部と、アーム部材と、キャッチ部とを有しており、
前記ベース部は、前記上層管の上部に固定され、
前記アーム部材は、前記ベース部から下方へ突出し、前記上層管の管壁に並置され、
前記キャッチ部は、前記アーム部材の下端に形成され、傘の開放状態において、前記ロクロの前記肩部と係合し、前記ロクロおよび前記骨アセンブリをロックする
ことを特徴とする請求項４に記載の傘。
【請求項６】
前記留め具の前記ベース部は、ピンホールと埋込部とを有しており、
前記ピンホールは、前記ベース部に形成され、前記上層管および前記上部ノッチを介してピンが挿入され、前記ベース部を前記上層管の上部に強固に固定し、
前記埋込部は、前記ベース部の横方向に形成され、前記上層管の上端部にはめ込まれる
ことを特徴とする請求項５に記載の傘。
【請求項７】
前記上部ノッチは、キャップ部を有しており、前記留め具の前記ベース部を、前記キャップ部の内部に収容し、制限することを特徴とする請求項６に記載の傘。
【請求項８】
前記留め具は、前記中棒のトップ部の前記上部ノッチに、直接的に固定されることを特徴とする請求項１に記載の傘。
【請求項９】
前記ロクロは、前記シリンダ部に形成されるガイド管部を有しており、前記ガイド管部は、傘を広げる際に、前記留め具のキャッチ部を下方へガイドし、前記ロクロの前記肩部と係合させることを特徴とする請求項２に記載の傘。
【請求項１０】
中棒と、骨アセンブリと、ロクロと、スプリング式の留め具とを有する傘であって、
前記中棒は、前記中棒のトップ部に形成される上部ノッチを有し、
前記骨アセンブリは、少なくとも、上部ノッチにピボット式に固定される親骨と、前記親骨にピボット式に連結される受骨とを有し、
前記ロクロは、前記受骨にピボット式に連結されて、前記中棒にスライド自在に保持され、
前記留め具は、前記ロクロに配置され、前記ロクロから下方へ突出しており、傘を広げる際に、前記中棒の前記上部ノッチに形成されるキャビティと、操作的に係合し、また、
前記留め具は、前記中棒にスライド自在に並置されており、
前記留め具を前記上部ノッチから外すことによって、前記ロクロは、前記留め具とのロックが外され、前記中棒に沿って降下して、傘が閉じられる
ことを特徴とする傘。
【請求項１１】
前記留め具は、レバー状のアーム部材とキャッチ部とを有しており、
前記アーム部材は、枢軸部と下端部とを有し、前記枢軸部は、前記アーム部材の中央部に形成され、かつ、前記ロクロの中央部にピボット式に取付けられ、前記下端部は、前記ロクロに形成される押ボタンスロットにスライド自在に保持される押ボタンに固定され、
前記キャッチ部は、前記アーム部材の上端部に形成され、かつ、傘を広げる際に、前記上部ノッチに形成される前記キャビティと、操作的に係合しており、
前記押ボタンを押し込み、前記アーム部材を偏らせ、前記上部ノッチの前記キャビティから前記キャッチ部を外すことによって、前記ロクロは、前記留め具とのロックが外され、前記中棒に沿って降下して、傘が閉じられる
ことを特徴とする請求項１０に記載の傘。
【発明の詳細な説明】
【０００１】
【発明の属する技術分野】
本発明は、安全ロクロおよび強度強化中棒を有する傘に関する。
【０００２】
【従来の技術】
本出願の発明者は、傘の安全ロクロを発明した（例えば、特許文献１参照。）。前記安全ロクロは、スライド自在に保持される押ボタンを有し、押ボタンをスライドさせることによって、人間工学的に操作される。そして、押ボタンを押し込むことによって、傘の中棒に弾性的に保持され、かつ、中棒を経由して外側に突出しているスプリング式の留め具（ｓｐｒｉｎｇ　ｃａｔｃｈ）が、中棒に形成されている留め具用スリット（ｃａｔｃｈ　ｓｌｉｔ）から開放される。その結果、ロクロのロックが外され、傘が閉じられる。
【０００３】
【特許文献１】
米国特許第６３７１１４１号明細書
【０００４】
【発明が解決しようとする課題】
しかし、留め具用スリットは、中棒の管部をカットして形成されている。したがって、中棒の機械的強度を弱め、容易に傘が歪んだり、変形したり、破壊あるいは損傷を受けたりして、傘の耐用寿命を短くする虞がある。
【０００５】
本発明は、上記従来技術に伴う課題を解決するためになされたものであり、長い耐用寿命を有する傘を提供することを目的とする。
【０００６】
【課題を解決するための手段】
上記目的を達成するための請求項１に記載の発明は、
中棒と、骨アセンブリと、ロクロと、スプリング式の留め具とを有する傘であって、
前記中棒は、前記中棒のトップ部に形成される上部ノッチを有し、
前記骨アセンブリは、少なくとも、前記上部ノッチにピボット式に固定される親骨と、前記親骨にピボット式に連結される受骨とを有し、
前記ロクロは、前記受骨にピボット式に連結されて、前記中棒にスライド自在に保持され、
前記留め具は、前記中棒の前記上部ノッチに隣接する、前記中棒のトップ部に固定され、前記上部ノッチから下方へ突出しており、傘を広げる際に、前記ロクロと操作的に係合され、また、
前記留め具は、前記中棒の外側に並置されており、前記中棒の機械的強度が低下することが、防止される
ことを特徴とする傘である。
【０００７】
上記目的を達成するための請求項１０に記載の発明は、
中棒と、骨アセンブリと、ロクロと、スプリング式の留め具とを有する傘であって、
前記中棒は、前記中棒のトップ部に形成される上部ノッチを有し、
前記骨アセンブリは、少なくとも、上部ノッチにピボット式に固定される親骨と、前記親骨にピボット式に連結される受骨とを有し、
前記ロクロは、前記受骨にピボット式に連結されて、前記中棒にスライド自在に保持され、
前記留め具は、前記ロクロに配置され、前記ロクロから下方へ突出しており、傘を広げる際に、前記中棒の前記上部ノッチに形成されるキャビティと、操作的に係合し、また、
前記留め具は、前記中棒にスライド自在に並置されており、
前記留め具を前記上部ノッチから外すことによって、前記ロクロは、前記留め具とのロックが外され、前記中棒に沿って降下して、傘が閉じられる
ことを特徴とする傘である。
【０００８】
【発明の実施の形態】
以下、本発明の実施の形態を、図面を参照しつつ説明する。図１は、本発明の実施の形態１に係る傘の構成部品を示している分解図、図２は、本発明の実施の形態１に係る傘が広げられた状態における断面図、図３は、ロクロのロックを外して傘を閉じるために押ボタンを押し込んだ状態における断面図、図４は、図３から続く、ロクロのロックを外した状態における断面図、図５は、図４の線Ｖ−Ｖに関する断面図である。
【０００９】
図１〜５に示されるように、本発明の実施の形態１に係る傘は、中棒（ｃｅｎｔｒａｌ　ｓｈａｆｔ）１と、骨アセンブリ２と、押ボタン４と、スプリング式の留め具（ｓｐｒｉｎｇ　ｃａｔｃｈ）５とを有する。中棒１は、少なくとも、上層管１１と、上層管１１に対して入れ子式に連結自在の下層管１０と、上層管１１のトップ部に形成される上部ノッチ１２とを有する。
【００１０】
骨アセンブリ２は、少なくとも、上部ノッチ１２にピボット式に固定される親骨（ｔｏｐ　ｒｉｂ）２１と、中棒１にスライド自在に保持されるロクロ（あるいは下ロクロ（ｒｕｎｎｅｒ））３と親骨２１との間にピボット式に連結される受骨（ｓｔｒｅｔｃｈｅｒ　ｒｉｂ）２２とを有する。押ボタン４は、ロクロ３にスライド自在に設けられている。
【００１１】
留め具５は、中棒１の上層管１１の上部に固定され、かつ、下方へ突出している。留め具５は、傘を広げる場合、ロクロ３に係合され、ロクロ３および骨アセンブリ２をロックする（傘の開放状態）。
【００１２】
中棒１の上部あるいはトップ部に設けられる留め具５は、中棒１の外側に並置され、ロクロ３に連結され、あるいは連結されているロクロ３から分離される。また、留め具５は、中棒１の内部に配置されていないため、中棒１の上層管１１をカットして形成される留め具用スリットつまり溝穴は存在しない。
【００１３】
したがって、中棒１の管部である上層管１１の強度に影響を及ぼしたり、強度を低下させることはない。つまり、従来の傘と比べて、中棒１の機械的強度を向上させることができる。
【００１４】
本発明は、多段式折畳み管部を有する中棒１および多段式折畳み骨を有する骨アセンブリ２を有する多段式折畳み傘、例えば、２段式折畳み傘や３段式折畳み傘に使用可能であるが、これらに限定されない。
【００１５】
ロクロ（あるいいは下ロクロ）３は、シリンダ部３１、フェルール３２、押ボタンスロット３３、肩部３４、一対の突起スロット３５、および、ガイドスロット３１１を有する。シリンダ部３１は、中棒１にスライド自在に連結する中央穴３０を有する。
【００１６】
フェルール３２は、シリンダ部３１に一体的に形成されており、受骨２２をピボット式に固定する。押ボタンスロット３３は、ロクロ３の横方向（ｔｒａｎｓｖｅｒｓｅｌｙ）に形成され、押ボタン４とスライド式に係合自在である。肩部３４は、押ボタンスロット３３の内側部に形成されており、傘が開かれる際に、留め具５と係合する。
【００１７】
突起スロット３５は、ロクロ３の両側部の横方向に形成され、押ボタン４の両側に形成される一対の突起４２とスライド式に係合自在である。ガイドスロット３１１は、シリンダ部３１の長手方向に形成され、下方に向いて先細（テーパ）となっており、留め具５を下方かつ内向きにガイドし、ロクロ３の肩部３４に係合させ、ロックさせる。
【００１８】
ロクロ３は、フェルール３２に形成され、下方かつ内向きに傾斜しているグルーブ３２１を、有する。グルーブ３２１は、ガイドスロット３１１およびロクロ３の中央穴３０に連絡しており、留め具５が下方へ移動し、ロクロ３の肩部３４を係合することを容易にする。
【００１９】
押ボタン４は、プランジャ４１と、一対の突起４２と、プレート部４３とを有する。プランジャ４１は、ロクロ３の押ボタンスロット３３とスライド式に係合自在である。突起４２は、ロクロ３の突起スロット３５とスライド式に係合自在である。プレート部４３は、プランジャ４１の外側の部分に形成される。
【００２０】
したがって、傘を閉じるために、ロクロ３のロックを開放する際に、押ボタン４を矢印方向Ｄに押し込むことによって、プレート部４３は、ロクロ３の押ボタンスロット３３の外側の端壁に、阻止（ｒｅｔａｒｄ）される（図３）。
【００２１】
当然ながら、本発明は、押ボタン４を不要とするように変更することも可能である。この場合、ロクロに低いリムあるいはグルーブ（図示せず）を形成することで、留め具５を直接的に係合させることができる。
【００２２】
図面を参照しつつ説明される好ましい実施の形態１〜３以外に係るロクロ３、押ボタン４、および留め具５の変更は、本発明に従って実行可能である。
【００２３】
留め具５は、弾性材料から形成することができる。弾性材料は、例えば、良好な弾性を有するスチール、プラスチック、他の金属、あるいは合金が含まれる。
【００２４】
留め具５は、ベース部５１と、アーム部材５２と、キャッチ部５３とを有する。ベース部５１は、中棒１の上層管１１の上部あるいはトップ部に固定される。アーム部材５２は、ベース部５１から下方へ突出しており、上層管１１の管壁に並置されている。キャッチ部５３は、アーム部材５２の下端に形成されており、傘の開放状態において、ロクロ３の肩部３４を係合し、ロクロ３および骨アセンブリ２をロックする。
【００２５】
留め具５のベース部５１は、ピンホール５１１および埋込部５１３を有する。ピンホール５１１は、ベース部５１に形成されており、上層管１１および上部ノッチ１２を介してピン５１２が挿入され、ベース部５１を上層管１１の上部に強固に固定する。埋込部５１３は、ベース部５１の横方向に形成されており、上層管１１の上端部にはめ込まれる。
【００２６】
上部ノッチ１２は、キャップ部１２１を有し、留め具５のベース部５１を、キャップ部１２１の内部に収容し、制限する。
【００２７】
当然ながら、留め具５のベース部５１は、中棒１のトップ部に強固に固定される上部ノッチ１２に、直接的に固定することも可能である。
【００２８】
傘を広げる場合、中棒１に沿ってロクロ３を上方に移動させる。これによって、ロクロ３の肩部３４は、留め具５のキャッチ部５３と係合可能となり（図２）、ロクロ３は、留め具５によってロックされ、傘が安定して広がることになる。
【００２９】
留め具５は、中棒１の内部に設けられていないため、従来の傘において行われているような、中棒１の管部をカットしてスリット（あるいは溝穴）を形成することは不要である。
【００３０】
つまり、実施の形態１に係る中棒１の上層管１１は、カットあるいは切断されておらず、良好な機械的強度（反ねじり強さを含む）を維持しており、また、傘の耐用寿命を長くする。
【００３１】
押ボタン４を押し下げ、留め具５のキャッチ部５３から肩部３４を外すことによって、図３および図４に示されるように、ロクロ３のロックが外され、傘が閉じられる。
【００３２】
図６は、本発明の実施の形態２に係る傘の構成部品を示している分解図、図７は、本発明の実施の形態２に係る傘が広げられた状態における断面図である。
【００３３】
図６および図７に示されるように、実施の形態２においては、ロクロ３のシリンダ部３１に、ガイド管部３１２を形成することによって、若干の変更が施されている。ガイド管部３１２は、傘を広げる際に、留め具５のキャッチ部５３を下方へガイドし、ロクロ３の肩部３４と係合させるために使用される。
【００３４】
同様に、グルーブ３２１は、ガイド管部３１２に先細（テーパ）形状に形成されており、キャッチ部５３を下方へガイドし、ロクロ３の肩部３４とスムーズに係合させる。
【００３５】
図８は、本発明の実施の形態３に係る傘の構成部品を示している分解図、図９は、本発明の実施の形態３に係る傘が広げられた状態における断面図、図１０は、図９から続く、中棒に対するロクロのロックを外した状態における断面図である。
【００３６】
実施の形態３に係る留め具５は、レバー状のアーム部材５２とキャッチ部５３とを有する。アーム部材５２は、アーム部材５２の中央部に形成され、かつ、ロクロ３の中央部３１０にピボット式に取付けられる枢軸部５１ａを有する。また、アーム部材５２の下端部５４は、ロクロに形成される押ボタンスロット３３にスライド自在に保持される押ボタン４に固定される。
【００３７】
キャッチ部５３は、アーム部材５２の上端部に形成され、かつ、傘を広げる際に、中棒１のトップ部の上部ノッチ１２に形成されるキャビティ１２２と、操作的（ｏｐｅｒａｔｉｖｅｌｙ）に係合する（図９）。
【００３８】
したがって、押ボタン４を押し込み、アーム部材５２を偏らせ、上部ノッチ１２のキャビティ１２２からキャッチ部５３を外すことによって、ロクロ３は、留め具５とのロックが外され、中棒１に沿って降下して、傘が閉じられる（図１０）。なお、留め具５は、中棒にスライド自在に並置されているため、留め具用スリットが軸に形成されておらず、軸の強度が向上している。
【００３９】
なお、本発明は、上述した実施の形態に限定されるものではなく、特許請求の範囲の範囲内で種々改変することができる。
【００４０】
【発明の効果】
以上説明した本発明によれば、傘の中棒の上部に固定される留め具と、中棒にスライド自在に保持され、かつ、傘を広げる際に留め具と係合するロクロとを有する。留め具は、中棒の外側に並置的に配置されて操作される。
【００４１】
一方、従来の傘の留め具は、中棒の内部に保持される。したがって、ロクロをロックするためには、スリットあるいはみぞ穴を中棒の管部に形成し、スリットあるいはみぞ穴を経由して突出させる必要がある。
【００４２】
つまり、本発明によれば、従来の傘で必要とされるスリットあるいはみぞ穴は不必要であるため、従来の傘に比べて、中棒の強度が向上する。したがって、長い耐用寿命を有する傘を提供することができる。
【図面の簡単な説明】
【図１】本発明の実施の形態１に係る傘の構成部品を示している分解図である。
【図２】本発明の実施の形態１に係る傘が広げられた状態における断面図である。
【図３】ロクロのロックを外して傘を閉じるために押ボタンを押し込んだ状態における断面図である。
【図４】図３から続く、ロクロのロックを外した状態における断面図である。
【図５】図４の線Ｖ−Ｖに関する断面図である。
【図６】本発明の実施の形態２に係る傘の構成部品を示している分解図である。
【図７】本発明の実施の形態２に係る傘が広げられた状態における断面図である。
【図８】本発明の実施の形態３に係る傘の構成部品を示している分解図である。
【図９】本発明の実施の形態３に係る傘が広げられた状態における断面図である。
【図１０】図９から続く、軸に対するロクロのロックを外した状態における断面図である。
【符号の説明】
１…中棒、
２…骨アセンブリ、
３…ロクロ、
４…押ボタン、
５…留め具、
１０…下層管、
１１…上層管、
１２…上部ノッチ、
２１…親骨、
２２…受骨、
３０…中央穴、
３１…シリンダ部、
３２…フェルール、
３３…押ボタンスロット、
３４…肩部、
３５…突起スロット、
４１…プランジャ、
４２…突起、
４３…プレート部、
５１…ベース部、
５１ａ…枢軸部、
５２…アーム部材、
５３…キャッチ部、
５４…下端部、
１２１…キャップ部、
１２２…キャビティ、
３１０…中央部、
３１１…ガイドスロット、
３１２…ガイド管部、
３２１…グルーブ、
５１１…ピンホール、
５１２…ピン、
５１３…埋込部。
【図１】
2004049865.tif 000003
【図２】
2004049865.tif 000004
【図３】
2004049865.tif 000005
【図４】
2004049865.tif 000006
【図５】
2004049865.tif 000007
【図６】
2004049865.tif 000008
【図７】
2004049865.tif 000009
【図８】
2004049865.tif 000010
【図９】
2004049865.tif 000011
【図１０】
2004049865.tif 000012